(57)【特許請求の範囲】
【請求項１】
建物ユニットを複数組み合わせて形成されるとともに陸屋根と置屋根とを有する屋根を備えたユニット式建物の設計作業を支援するユニット式建物用ＣＡＤシステムであって、
前記ユニット式建物の屋根伏図を設計するための屋根伏図設計手段と、前記ユニット式建物の平面図を設計するための平面図設計手段とを備え、
前記屋根伏図設計手段は、
前記ユニット式建物を構成する建物ユニットおよび部品の大きさを基準として、前記ユニット式建物の屋根伏図上に互いに直交して格子状に設定される複数のグリッドモジュール心線を生成するグリッドモジュール生成手段と、
前記グリッドモジュール心線の複数の交点のうち、第１点と、この第１点と別の点である第２点とが選択されると、前記格子で構成される複数の長方形のうち、前記２点を対角線上の頂点とする一つの長方形を選択して平面形状として設定する平面形状設定手段と、
予め設定された複数の形状のうちの１つが選択されると、この選択された形状を建物ユニットの立面形状として設定する立面形状設定手段と、
前記平面形状設定手段によって平面形状が設定され、かつ、前記立面形状設定手段によって立面形状が設定されると、前記設定された平面形状および立面形状を有する建物ユニットを、ユニット式建物の屋根を構成する屋根ユニットとして設定する屋根ユニット設定手段と、
前記平面図設計手段で設計された各階平面図のうち最上階の平面図を屋根伏図上に複製する平面図複製手段と、
前記平面図複製手段で複製された最上階の建物ユニット上に前記屋根ユニット設定手段によって屋根ユニットが設定されると、前記最上階の建物ユニット上の空間のうち、屋根ユニット内部を屋内空間として設定し、この屋根ユニットを除く部分を屋外空間として設定する屋内・屋外空間設定手段と、
前記屋内・屋外空間設定手段で設定された屋外空間において、前記平面形状設定手段によって平面形状が設定されると、この設定された平面形状を歩行部分として設定し、前記屋外空間のうち前記歩行部分を除いた部分を非歩行部分として設定する歩行・非歩行部分設定手段と、
を備えていることを特徴とするユニット式建物用ＣＡＤシステム。
【請求項２】
請求項１に記載のユニット式建物用ＣＡＤシステムにおいて、
前記屋根伏図設計手段は、前記屋内空間の面積を計算する屋内空間面積計算手段を備えていることを特徴とするユニット式建物用ＣＡＤシステム。
【請求項３】
請求項１に記載のユニット式建物用ＣＡＤシステムにおいて、
前記屋根伏図設計手段は、前記歩行部分の面積を計算する歩行部分面積計算手段を備えていることを特徴とするユニット式建物用ＣＡＤシステム。
【発明の詳細な説明】
【０００１】
【発明の属する技術分野】
本発明は、コンピュータを用いてユニット式建物の設計作業を支援するユニット式建物用ＣＡＤシステムに関する。
【０００２】
【背景技術】
従来より、工場で製造した箱状の建物ユニットを、建築現場で複数組み合わせて建築されるユニット式建物が利用されている。
このようなユニット式建物によれば、工場で建物ユニットを製造する際に、従来建築現場で行っていた作業がほとんど工場で行われることとなり、建築現場での作業が著しく軽減され、高品質の建物を短期間で建築できるという利点がある。
【０００３】
このようなユニット式建物は、一般的な注文建築と同様に、顧客の多様な要望に応じてユニット式建物を一つずつ設計するため、設計作業および製造作業の効率が十分確保されるように、ＣＡＤシステムを利用して設計される（特開平８−１３７９３０号公報参照）。
具体的には、ＣＡＤシステムを構成する表示装置の画面上において、平面長方形状の建物ユニットを入力し、これら建物ユニットを組み合わせてユニット式建物の平面図を設計した後、この平面図に屋根の輪郭を入力していた。このようなＣＡＤシステムによれば、建物ユニットの平面形状および階高を入力するだけで、箱状の建物ユニットを設計できるため、設計作業を正確・迅速に行うことができるようになっている。
この際、屋根の小屋裏には居室空間がないため、ユニット式建物の屋根を設計するにあたり、ユニット式建物の平面図上に同時に屋根伏図を表現していた。
【０００４】
【発明が解決しようとする課題】
ところで、近年、ユニット式建物の屋根を、略水平な陸屋根部分と、寄棟、切妻等の屋根で形成された置屋根部分とで構成する場合がある。置屋根部分の小屋裏には居室空間が設けられ、この居室空間から陸屋根部分に行き来できるようになっている。
この場合、ユニット式建物の平面図に屋根の輪郭を入力する方法では、小屋裏の居室空間を表現できないため、平面図の他に屋根伏図を作成する必要があるが、小屋裏の居室空間の立面形状は、屋根の形状に対応した三角形状や台形状となっているため、箱状の建物ユニットと同様の入力方法を用いて入力することができず、小屋裏の居室空間を柱、梁等の各部品毎に入力していた。そのため、屋根の設計作業に多大な労力と時間を要していた。
【０００５】
本発明の目的は、容易に屋根の設計作業を行うことができるユニット式建物用ＣＡＤシステムを提供することにある。
【０００６】
【課題を解決するための手段】
上記目的を達成するため、本発明のユニット式建物用ＣＡＤシステムは、次の構成を採用する。
本発明を図面を参照して説明すると、請求項１に記載のユニット式建物用ＣＡＤシステムは、建物ユニット５Ａ、８Ｃを複数組み合わせて形成されるとともに陸屋根と置屋根とを有する屋根を備えたユニット式建物１の設計作業を支援するユニット式建物用ＣＡＤシステム１０であって、前記ユニット式建物の屋根伏図を設計するための屋根伏図設計手段３４と、前記ユニット式建物の平面図を設計するための平面図設計手段３２とを備え、前記屋根伏図設計手段は、前記ユニット式建物を構成する建物ユニットおよび部品の大きさを基準として、前記ユニット式建物の屋根伏図上に互いに直交して格子状に設定される複数のグリッドモジュール心線Ｇ１を生成するグリッドモジュール生成手段４２と、前記グリッドモジュール心線の複数の交点のうち、第１点Ｍ，Ｐと、この第１点と別の点である第２点Ｎ，Ｑとが選択されると、前記格子で構成される複数の長方形のうち、前記２点を対角線上の頂点とする一つの長方形を選択して建物ユニットの平面形状として設定する平面形状設定手段５１と、予め設定された複数の形状のうちの１つが選択されると、この選択された形状を建物ユニットの立面形状として設定する立面形状設定手段５２と、前記平面形状設定手段によって平面形状が設定され、かつ、前記立面形状設定手段によって立面形状が設定されると、前記設定された平面形状および立面形状を有する建物ユニットを、ユニット式建物の屋根８を構成する屋根ユニット８Ｃとして設定する屋根ユニット設定手段５３と、前記平面図設計手段３２で設計された各階平面図のうち最上階の平面図を屋根伏図上に複製する平面図複製手段４３と、前記平面図複製手段４３で複製された最上階の建物ユニット上に前記屋根ユニット設定手段５３によって屋根ユニットが設定されると、前記最上階の建物ユニット上の空間Ｓ１のうち、屋根ユニット内部を屋内空間Ｓ２として設定し、この屋根ユニットを除く部分を屋外空間Ｓ３として設定する屋内・屋外空間設定手段５４と、前記屋内・屋外空間設定手段５４で設定された屋外空間において、前記平面形状設定手段によって平面形状が設定されると、この設定された平面形状を歩行部分として設定し、前記屋外空間のうち前記歩行部分を除いた部分を非歩行部分として設定する歩行・非歩行部分設定手段５５とを備えていることを特徴とする。
【０００７】
この発明によれば、ユニット式建物の屋根伏図上に設けられた複数のグリッドモジュール心線の交点のうちの互いに異なる２点を頂点とする長方形を選択して平面形状を設定し、予め設定された複数の形状のうちの１つを選択して立面形状を設定するだけで、設定された平面形状および立面形状を有する建物ユニットを屋根ユニットとして設定する。したがって、屋根の小屋裏に居室空間を設ける場合でも、従来のように居室空間の柱、梁等の各部品毎に入力する必要がなく、マウス操作等の労力や時間を軽減でき、容易に設計作業を行うことができる。
ここで、最上階とは、屋根の下に位置する階を意味し、屋根の小屋裏に設けられる居室空間は階数に含まない。この発明によれば、平面図複製手段で複製された最上階の建物ユニット上に屋根ユニットを設定するだけで、最上階の建物ユニット上の空間のうち、屋根ユニット内部を屋内空間として設定し、この屋根ユニットを除く部分を屋外空間として設定する。したがって、最上階の各建物ユニット上に屋内・屋外空間のうちのどちらが設けられるかによって、各階の建物ユニットに必要な構造耐力が変わるため、各階の建物ユニットの柱や梁を必要最小限の部材断面とすることができるから、ユニット式建物の製造コストを低減できる。
その上、この発明によれば、屋内・屋外空間設定手段で設定された屋外空間において、平面形状設定手段によって平面形状を設定するだけで、この設定された平面形状を歩行部分として設定し、前記屋外空間のうち前記歩行部分を除いた部分を非歩行部分として設定する。したがって、最上階の建物ユニットの上に歩行・非歩行部分のうちのどちらが設けられるかによって、各階の建物ユニットに必要な構造耐力が変わるため、各階の建物ユニットの柱や梁を必要最小限の部材断面とすることができるから、ユニット式建物の製造コストをさらに低減できる。
【００１０】
請求項２に記載のユニット式建物用ＣＡＤシステムは、請求項１に記載のユニット式建物用ＣＡＤシステムにおいて、前記屋根伏図設計手段は、前記屋内空間の面積を計算する屋内空間面積計算手段５７を備えていることを特徴とする。この発明によれば、屋内空間の面積を自動的に計算できるので、屋内空間の面積を各階平面図の床面積に算入して、ユニット式建物の延床面積を容易に算出できる。
【００１３】
請求項３に記載のユニット式建物用ＣＡＤシステムは、請求項１に記載のユニット式建物用ＣＡＤシステムにおいて、前記屋根伏図設計手段は、前記歩行部分の面積を計算する歩行部分面積計算手段５８を備えていることを特徴とする。
この発明によれば、歩行部分の面積を自動的に計算できるので、歩行部分をバルコニーとして利用する際にバルコニー面積を容易に算出できる。
【００１４】
【発明の実施の形態】
以下、本発明の一実施形態を図面に基づいて説明する。
図１０には、本実施形態に係るユニット式建物１の全体斜視図が示されている。
ユニット式建物１は、基礎４と、この基礎４の上に設けられた２階建ての建物本体５と、この建物本体５の上に設けられた屋根６とを備えている。
【００１５】
建物本体５は、箱状の建物ユニット５Ａを複数組み合わせて形成され、図１０中右下側を南側とすると、１階部分の南側にはテラス５Ｂ、西側には玄関５Ｄが設けられ、２階部分の南側にはベランダ５Ｃ、上部外周にはパラペット７Ａが設けられている。
【００１６】
建物ユニット５Ａは、図１１に示すように、四隅の柱７１の上下端部を天井梁７２および床梁７３で連結した直方体状の骨組み７４を有するものである。天井梁７２としては、長さの異なる長辺天井梁７２Ａおよび短辺天井梁７２Ｂが設けられている。床梁７３としては、天井梁７２と同様に、長さの異なる長辺床梁７３Ａおよび短辺床梁７３Ｂが設けられている。このような骨組み７４には、図示しない天井面材および床面材、ならびに、外壁材および間仕切壁等の造作材が取り付けられるようになっている。
【００１７】
図１０に戻って、屋根６は、建物本体５の略中央部から北側にかけて設けられた切妻屋根としての置屋根部分８と、パラペット７Ａに囲まれた部分のうち置屋根部分８を除く略水平な陸屋根部分７Ｂとを備えている。
置屋根部分８は、複数の屋根ユニット８Ｃを組み合わせて形成され、表面に太陽電池パネル９が設けられた傾斜屋根面８Ｂを南北面に備え、その南面側の傾斜屋根面８Ｂの中央部が平面コの字状に切り欠き形成され、外部扉６１が設けられている。
【００１８】
陸屋根部分７Ｂは、屋外空間Ｓ３とされ、その上に置屋根部分８の南側を囲む手摺り７が設けられ、この手摺り７に囲まれた部分が歩行部分Ｓ４とされている。陸屋根部分７Ｂのうち、歩行部分Ｓ４を除いた部分は、非歩行部分Ｓ５とされている。
置屋根部分８の内部には、居室空間８Ｄが形成され、建物本体５内部から居室空間８Ｄを通って歩行部分Ｓ４に行き来できるようになっている。
【００１９】
図１には、本実施形態に係るＣＡＤシステム１０のブロック図が示されている。
ＣＡＤシステム１０には、本システムの核となるコンピュータ本体１１と、設計している階の平面図等を表示するＣＲＴ表示装置１２と、コンピュータ本体１１等の操作を行うための入力装置１３と、設計した平面図等を製図するＸ−Ｙプロッタ装置１４と、設計した建物についてのデータ等を印字するプリンタ１５とが設けられている。
【００２０】
コンピュータ本体１１は、記憶装置であるハードディスク装置２０と、各種の処理を行う演算装置であるＣＰＵ３０とを含んで構成されたものである。
このうち、ハードディスク装置２０には、記憶される情報の属性毎に複数の記憶領域が設定されている。
これらの記憶領域としては、ユニット式建物を構築するための部品に関する部品データが蓄積された部品情報蓄積手段２１と、設計されたユニット式建物の部品、部材および工賃の価格等に関する価格データが蓄積された積算情報蓄積手段２２とが設けられている。
【００２１】
ＣＰＵ３０は、各種のソフトウェアがインストールされ、これらのソフトウェアを並列処理するマルチタスク機能を有するものである。
ＣＰＵ３０には、ソフトウェアにより、ハードディスク装置２０の部品情報蓄積手段２１に蓄積された部品データを用いてユニット式建物の１階平面図を設計する１階平面図設計手段３１と、ハードディスク装置２０の部品情報蓄積手段２１に蓄積された部品データを用いてユニット式建物の２階平面図を設計する２階平面図設計手段３２と、ハードディスク装置２０の部品情報蓄積手段２１に蓄積された部品データを用いてユニット式建物の基礎伏図を設計する基礎伏図設計手段３３と、ハードディスク装置２０の部品情報蓄積手段２１に蓄積された部品データを用いてユニット式建物の屋根伏図を設計する屋根伏図設計手段３４と、ハードディスク装置２０の部品情報蓄積手段２１に蓄積された部品データを用いてユニット式建物の立面図を設計する立面図設計手段３５と、ハードディスク装置２０の積算情報蓄積手段２２に蓄積された価格データを用いて、設計したユニット式建物を積算する積算手段３６とが設けられている。
【００２２】
なお、ＣＰＵ３０には、以上の手段３１〜３６の他に、部品情報蓄積手段２１および積算情報蓄積手段２２に蓄積されたデータの入出力を管理するとともに、ユニット式建物の部品のうち、平面の構造および形状に関連する部品データを１階平面図設計手段３１および２階平面図設計手段３２へ出力する際に、当該部品と関連する部品データを基礎伏図設計手段３３、屋根伏図設計手段３４、立面図設計手段３５、積算手段３６に出力する情報管理手段３７が設けられている。
【００２３】
図２には、屋根伏図設計手段３４のブロック図が示されている。
屋根伏図設計手段３４には、ハードディスク装置２０の部品情報蓄積手段２１とのデータの入出力を制御するデータ入出力制御手段４１と、ユニット式建物の屋根を形成する屋根ユニットおよび部品の設置位置の基準となるグリッドモジュール心線を生成するグリッドモジュール生成手段４２と、１階平面図設計手段３１および２階平面図設計手段３２で設計された各階平面図のうち最上階（２階）の平面図を屋根伏図上に複製する平面図複製手段４３と、この平面図複製手段４３で複製された平面図上に屋根を設計する屋根設計手段４４と、屋根の各部分の面積を計算する面積計算手段４５と、屋根設計手段４４で設計された設計データから屋根伏図を生成する屋根伏図生成手段４６とが設けられている。
【００２４】
グリッドモジュール生成手段４２は、ユニット式建物を構成する建物ユニットおよび部品の大きさを基準として、ユニット式建物の平面図上に互いに直交して格子状に設定される複数のグリッドモジュール心線を生成するものとなっている。
【００２５】
平面図複製手段４３は、オペレータが各階平面図を設計した後に屋根伏図を設計する際に、既に設計された各階平面図のうち最上階の各建物ユニットの形状や配置、および間仕切壁の壁厚や配置等を屋根伏図上に複製するものである。
【００２６】
屋根設計手段４４には、屋根ユニットを構成する長方形を選択し、この選択された複数の長方形を組み合わせて建物ユニットの平面形状として設定する平面形状設定手段５１と、建物ユニットの立面形状を設定する立面形状設定手段５２と、平面形状設定手段５１で設定された平面形状および立面形状設定手段５２で設定された立面形状を有する建物ユニットを屋根ユニットとして設定する屋根ユニット設定手段５３と、屋根ユニットの屋内空間および屋外空間を設定する屋内・屋外空間設定手段５４と、屋内・屋外空間設定手段５４で設定された屋外空間において歩行部分および非歩行部分を設定する歩行・非歩行部分設定手段５５と、ハードディスク装置２０の部品情報蓄積手段２１に蓄積された部品データを用いてユニット式建物の部品を設計する部品設計手段５６とが設けられている。
【００２７】
平面形状設定手段５１は、オペレータがマウス操作で選択した第１点と第２点の二点から、複数の長方形のうち、前記二点を対角線上の頂点とする一つの長方形を選択して１つの平面形状として設定するものである。
オペレータが選択できる第１点は、グリッドモジュール生成手段４２が生成した格子状のグリッドモジュール心線の複数の交点のうちの１点となっている。
また、オペレータが選択できる第２点は、グリッドモジュール心線が生成したグリッドモジュール心線の複数の交点のうち、第１点と別の点となっている。
【００２８】
立面形状設定手段５２は、予め設定された複数の形状のうちの１つの形状が選択されると、この選択された形状を建物ユニットの立面形状として設定するものである。
屋根ユニット設定手段５３は、平面形状設定手段５１によって平面形状が設定され、かつ、立面形状設定手段５２によって立面形状が設定されると、設定された平面形状および立面形状を有する建物ユニットを屋根ユニットとして設定するものである。
【００２９】
屋内・屋外空間設定手段５４は、平面図複製手段４３で複製された最上階の建物ユニット上に屋根ユニット設定手段５３によって屋根ユニットが設定されると、最上階の建物ユニット上の空間のうち、屋根ユニット内部を屋内空間として設定し、この屋根ユニットを除く部分を屋外空間として設定するものである。
【００３０】
歩行・非歩行部分設定手段５５は、屋内・屋外空間設定手段５４で設定された屋外空間のうち、平面形状設定手段５１によって平面形状が設定されると、この設定された平面形状を歩行部分として設定し、屋外空間のうち歩行部分を除いた部分を非歩行部分として設定するものである。
【００３１】
面積計算手段４５には、屋外空間の面積を計算する屋外空間面積計算手段５７と、歩行部分の面積を計算する歩行部分面積計算手段５８とが設けられている。
【００３２】
次に、ユニット式建物１の屋根伏図の設計作業における本実施形態の動作について説明する。
【００３３】
平面図複製手段４３を起動させると、ＣＲＴ表示装置１２の画面には、図３に示すように、屋根伏図上に最上階、ここでは２階の平面図が複製されて表示される。すなわち、屋根伏図上には、２階の各建物ユニット５Ａの形状や配置が複製されて表示されるとともに、グリッドモジュール生成手段４２が生成した互いに直交する複数のグリッドモジュール心線Ｇ１、境界線Ｇ２、外壁線Ｇ３が表示される。
ここで、２階の建物ユニット５Ａ上の空間をＳ１とする。
【００３４】
次に、平面形状設定手段５１を起動させ、図４に示すように、グリッドモジュール心線Ｇ１が形成する複数の交点のうち、１点Ｍを十字カーソルＫ１で選択し、この点Ｍを第１点とする。
次に、グリッドモジュール心線Ｇ１が形成する複数の交点のうち、第１点Ｍとは異なる１点Ｎを十字カーソルＫ１で選択し、この点Ｎを第２点とする。
これらの操作により、第１点Ｍおよび第２点Ｎを対角線上の頂点とする長方形が一つ決定され、建物ユニットの平面形状として設定される。
【００３５】
続いて、立面形状設定手段５２を起動すると、ＣＲＴ表示装置１２の画面には、図５に示すように、複数の立面三角形状および台形状等の屋根ユニット(ａ)〜(ｆ)を表した形状メニューが表示される。
これら形状メニューの中から所望の形状、ここでは、立面三角形状の建物ユニット（ａ）を選択する。
【００３６】
屋根ユニット設定手段５３を起動させると、平面形状設定手段５１によって設定された平面形状および立面形状設定手段５２によって設定された立面形状(ａ)を有する建物ユニットが屋根ユニット８Ｃとして設定される。
以上の作業を繰り返すことにより、図６に示すように、複数の長方形状の屋根ユニット８Ｃを組み合わせたユニット式建物１の置屋根部分８の設計が完了する。
【００３７】
ユニット式建物１の置屋根部分８の設計が完了すると、屋内・屋外空間設定手段５４によって、２階の建物ユニット５Ａ上の空間Ｓ１のうち、屋根ユニット８Ｃ内部が屋内空間Ｓ２として設定され、この屋根ユニットを除く部分が屋外空間Ｓ３として設定される。
【００３８】
次に、平面形状設定手段５１を起動させ、図７に示すように、グリッドモジュール心線Ｇ１が形成する複数の交点のうち、１点Ｐを十字カーソルＫ１で選択し、この点Ｐを第３点とする。次に、グリッドモジュール心線Ｇ１が形成する複数の交点のうち、第３点Ｐとは異なる１点Ｑを十字カーソルＫ１で選択し、この点Ｑを第４点とする。これらの操作により、第３点Ｐおよび第４点Ｑを対角線上の頂点とする長方形が一つ決定され、平面形状として設定される。
この作業を繰り返すことによって、複数の長方形からなる平面形状を設定する。
【００３９】
平面形状設定手段５１によって平面形状の設定が完了した後、屋内・屋外空間設定手段５４を起動させると、図８に示すように、これら設定された平面形状を歩行部分Ｓ４として設定し、屋外空間Ｓ３のうち歩行部分Ｓ４を除いた部分を非歩行部分Ｓ５として設定する。
【００４０】
次に、屋外空間面積計算手段５７を起動させると、屋外空間Ｓ３の面積を計算し、この値を１階床面積、２階床面積とともに表示し、同時に、これらの値の和を延床面積として表示する。
また、歩行部分面積計算手段５８を起動させると、歩行部分Ｓ４の面積を計算し、屋上バルコニー面積として表示する。
【００４１】
次に、ユニット式建物の屋根伏図における部品の設計作業について説明する。
グリッドモジュール心線Ｇ１を基準として、部品情報蓄積手段２１から出力された部品データを用いて、ユニット式建物を構成する部品、例えば、階段６２、外部扉６１を屋根伏図上に配置する。
すなわち、図９に示すように、ユニット式建物１の屋根ユニット８Ｃのうち図９中の中央の屋根ユニット８Ｃの下端に外部扉６１を、中央に階段６２を配置する。これによって、置屋根部分８の内部に居室空間８Ｄを形成できる。
【００４２】
ここで、外部扉６１を配置する手順について具体的に説明すると、部品情報蓄積手段２１から外部扉６１の部品データを平面図上に読み出して表示した後（図９中点線で示す）、外部扉６１の平面形状を構成する線上の１点、例えば点Ｘを始点とし、この始点Ｘを十字カーソルＫ１で押さえながら平面図上を移動させて、始点Ｘをグリッドモジュール心線Ｇ１上の複数の交点のうちの一つの点Ｙに重ね合わせることによって、この点Ｙを始点Ｘとして外部扉６１が建物ユニットＴ５上に配置される。階段６２の配置についても、同様の手順で行う。
以上の作業により、ユニット式建物１の屋根伏図が完成する。
【００４３】
したがって、本実施形態によれば以下の効果がある。
（１）ユニット式建物１の屋根伏図上に設けられた複数のグリッドモジュール心線Ｇ１の交点のうちの互いに異なる２点Ｍ，Ｎを頂点とする長方形を選択して平面形状を設定し、予め設定された複数の形状(ａ)〜(ｅ)のうちの１つ(ａ)を選択して立面形状を設定するだけで、設定された平面形状および立面形状を有する建物ユニットを屋根ユニット８Ｃとして設定する。したがって、置屋根部分８の小屋裏に居室空間８Ｄを設ける場合でも、従来のように居室空間の柱、梁等の各部品毎に入力する必要がなく、マウス操作等の労力や時間を軽減でき、容易に設計作業を行うことができる。
【００４４】
（２）平面図複製手段４３で複製された２階の建物ユニット５Ａ上に屋根ユニット８Ｃを設定し、この屋根ユニット８Ｃで置屋根部分８を形成するだけで、２階の建物ユニット上の空間Ｓ１のうち、置屋根部分８内部を屋内空間Ｓ２として設定し、この置屋根部分８を除く部分を屋外空間Ｓ３として設定する。したがって、２階の各建物ユニット５Ａ上に屋内・屋外空間のうちのどちらが設けられるかによって、各階の建物ユニット５Ａに必要な構造耐力が変わるため、各階の建物ユニット５Ａの柱７１や梁７２，７３を必要最小限の部材断面とすることができるから、ユニット式建物１の製造コストを低減できる。
【００４５】
（３）屋内空間Ｓ２の面積を自動的に計算できるので、屋内空間Ｓ２の面積を各階平面図の床面積に算入して、ユニット式建物１の延床面積を容易に算出できる。
【００４６】
（４）屋内・屋外空間設定手段５４で設定された屋外空間Ｓ３において、平面形状設定手段５１によって平面形状が設定するだけで、この設定された平面形状を歩行部分Ｓ４として設定し、屋外空間Ｓ３のうち前記歩行部分Ｓ４を除いた部分を非歩行部分Ｓ５として設定する。したがって、２階の建物ユニット５Ａの上に歩行・非歩行部分のうちのどちらが設けられるかによって、各階の建物ユニット５Ａに必要な構造耐力が変わるため、各階の建物ユニット５Ａの柱７１や梁７２，７３を必要最小限の部材断面とすることができるから、ユニット式建物１の製造コストをさらに低減できる。
【００４７】
（５）歩行部分Ｓ４の面積を自動的に計算できるので、歩行部分Ｓ４をバルコニーとして利用する際にバルコニー面積を容易に算出できる。
【００４８】
なお、本発明は前記実施形態に限定されるものではなく、本発明の目的を達成できる範囲での変形、改良等は本発明に含まれるものである。
例えば、部品情報蓄積手段２１および積算情報蓄積手段２２を比較的大型の第１のコンピュータ内に構成し、１階平面図設計手段３１、２階平面図設計手段３２、基礎伏図設計手段３３、屋根伏図設計手段３４、立面図設計手段３５および積算手段３６を別の比較的小型の第２のコンピュータ内に構成するとともに、第２のコンピュータを複数設け、これら複数の第２のコンピュータを第１のコンピュータと通信手段で相互に接続してもよい。
このようにすれば、部品情報、積算情報が収納されたファイルを著しく大きくできるうえ、このファイルの管理およびメンテナンスを一括して行うことができる。
【００４９】
また、ハードディスク装置２０に記録される前記部品情報蓄積手段２１および積算情報蓄積手段２２等の各種データは、ＦＤ、ＣＤ−ＲＯＭ、ＤＶＤ等のコンピュータで読み取り可能な記録媒体に記録してＣＡＤシステム１０を実現するコンピュータに提供したり、パソコン通信、インターネット等のネットワークを介して各コンピュータに提供してもよい。
また、１階平面図設計手段３１、２階平面図設計手段３２、基礎伏図設計手段３３、屋根伏図設計手段３４、立面図設計手段３５および積算手段３６等は、コンピュータ本体１１で実現されるプログラムであるため、コンピュータで読み取り可能な記録媒体に記録して各コンピュータに提供したり、パソコン通信、インターネット等のネットワークを介して各コンピュータに提供して機能させてもよい。
【００５０】
【発明の効果】
本発明のユニット式建物用ＣＡＤシステムによれば、次のような効果が得られる。
請求項１に記載のユニット式建物用ＣＡＤシステムによれば、ユニット式建物の屋根伏図上に設けられた複数のグリッドモジュール心線の交点のうちの互いに異なる２点を頂点とする長方形を選択して平面形状を設定し、予め設定された複数の形状のうちの１つを選択して立面形状を設定するだけで、設定された平面形状および立面形状を有する建物ユニットを屋根ユニットとして設定する。したがって、屋根の小屋裏に居室空間を設ける場合でも、従来のように居室空間の柱、梁等の各部品毎に入力する必要がなく、マウス操作等の労力や時間を軽減でき、容易に設計作業を行うことができる。
しかも、平面図複製手段で複製された最上階の建物ユニット上に屋根ユニットを設定するだけで、最上階の建物ユニット上の空間のうち、屋根ユニット内部を屋内空間として設定し、この屋根ユニットを除く部分を屋外空間として設定する。したがって、最上階の各建物ユニット上に屋内・屋外空間のうちのどちらが設けられるかによって、各階の建物ユニットに必要な構造耐力が変わるため、各階の建物ユニットの柱や梁を必要最小限の部材断面とすることができるから、ユニット式建物の製造コストを低減できる。
その上、屋内・屋外空間設定手段で設定された屋外空間において、平面形状設定手段によって平面形状を設定するだけで、この設定された平面形状を歩行部分として設定し、前記屋外空間のうち前記歩行部分を除いた部分を非歩行部分として設定する。したがって、最上階の建物ユニットの上に歩行・非歩行部分のうちのどちらが設けられるかによって、各階の建物ユニットに必要な構造耐力が変わるため、各階の建物ユニットの柱や梁を必要最小限の部材断面とすることができるから、ユニット式建物の製造コストをさらに低減できる。
【００５２】
請求項２に記載のユニット式建物用ＣＡＤシステムによれば、屋内空間の面積を自動的に計算できるので、屋内空間の面積を各階平面図の床面積に算入して、ユニット式建物の延床面積を容易に算出できる。
【００５４】
請求項３に記載のユニット式建物用ＣＡＤシステムによれば、歩行部分の面積を自動的に計算できるので、歩行部分をバルコニーとして利用する際にバルコニー面積を容易に算出できる。
【図面の簡単な説明】
【図１】本発明の一実施形態に係るＣＡＤシステムを示すブロック図である。
【図２】前記実施形態に係る屋根伏図設計手段のブロック図である。
【図３】前記実施形態に係る屋根伏図において最上階の平面図を複製した状態を示す図である。
【図４】前記実施形態に係る屋根ユニットの平面形状を設定する手順を説明するための図である。
【図５】前記実施形態に係る屋根ユニットの立面形状を設定する手順を説明するための図である。
【図６】前記実施形態に係るユニット式建物を示す図である。
【図７】前記実施形態に係るユニット式建物の歩行部分を設定する手順を説明するための図である。
【図８】前記実施形態に係るユニット式建物の歩行・非歩行部分を示す図である。
【図９】前記実施形態に係るユニット式建物の部品を屋根伏図上に配置する手順を説明するための図である。
【図１０】前記実施形態に係るユニット式建物の全体斜視図である。
【図１１】前記実施形態に係るユニット式建物を構成する建物ユニットの骨組みの斜視図である。
【符号の説明】
１      ユニット式建物
５Ａ    建物ユニット
８      置屋根部分
８Ｃ    屋根ユニット
１０      ＣＡＤシステム
３２      ２階平面図設計手段
３４      屋根伏図設計手段
４２      グリッドモジュール生成手段
４３      平面図複製手段
５１      平面形状設定手段
５２      立面形状設定手段
５３      屋根ユニット設定手段
５４      屋内・屋外空間設定手段
５５      歩行・非歩行部分設定手段
５７      屋外空間面積計算手段
５８      歩行部分面積計算手段
Ｇ１      グリッドモジュール心線
Ｍ，Ｎ，Ｐ，Ｑ      点
Ｓ１      最上階の建物ユニット上の空間
Ｓ２      屋内空間
Ｓ３      屋外空間
Ｓ４      歩行部分
Ｓ５      非歩行部分
【図１】
0004598312.tif 000002
【図２】
0004598312.tif 000003
【図３】
0004598312.tif 000004
【図４】
0004598312.tif 000005
【図５】
0004598312.tif 000006
【図６】
0004598312.tif 000007
【図７】
0004598312.tif 000008
【図８】
0004598312.tif 000009
【図９】
0004598312.tif 000010
【図１０】
0004598312.tif 000011
【図１１】
0004598312.tif 000012